(57)【要約】      （修正有）【課題】既存照明器具に設置されている口金を流用してアフターマーケットのＬＥＤランプを設置する際の下記問題を解決する口金ジョイント部品を提供する。１、天井面での狭小部などでの作業のため施工が捗らない。２、既存照明器具の口金を流用して交換するＬＥＤランプに電源を投入すると、既存口金の経年劣化等から発生する火災・落下事故等が起こりやすく危険である。【解決手段】既存照明器具のランプを受ける口金と、差し込む側のＬＥＤランプの口金を受け入れる構造の口金ジョイント筐体の中に、差し込む側のＬＥＤランプの電源入力接点を持ち、その接点から既存商用電源へ容易に接続できつつ本発明品と差し込むＬＥＤランプがはずれない構造を持ち、電源入力用の電線が配線加工済みの口金ジョイント部品。【選択図】図３
2014017225.tif 000002
【特許請求の範囲】
【請求項１】
既存照明器具のランプを受ける口金と、差し込む側のＬＥＤランプの口金を受け入れる口金ジョイントの構造。
【請求項２】
請求項１の筐体の中に、差し込む側のＬＥＤランプの電源入力接点を持ち、その接点から既存商用電源へ容易に接続できるように電源入力用の電線が配線加工済みの口金ジョイント。
【請求項３】
請求項２の電源入力用電線の先端に、商用電源用電源線と送り用電源配線の２系統が容易に接続可能な電源端子台が装着されている口金ジョイント。
【請求項４】
請求項１、２の基本構造を保有しつつ、差し込む側と差し込まれる側の口金の形状が違う口金ジョイント。
【発明の詳細な説明】
【技術分野】
【０００１】本発明は、既存照明器具にＬＥＤランプを差し込む際、既存照明器具と差し替えるＬＥＤランプに対し完全に商用電源回路から分離させ安全性、作業性を高めつつ電源供給可能でリニューアル作業を容易に行うことができ製造物責任を明確化できる部品に関する。
【背景技術】
【０００２】現在、照明器具にて使用されている光源は蛍光灯ランプが主流であるが、今後の省エネで使用する光源はほとんどがＬＥＤランプに推移していくと想定される。しかし市場ではＬＥＤ素子一体型照明器具を購入し高いコストを支払うことは一般的に懸念されている。望まれる方法はできる限り既存照明器具を再利用しＬＥＤランプだけを交換することで導入時のイニシャルコストを抑えることが望まれる。現状では電気工事士が既存照明器具を改造してＬＥＤランプを設置することが主流である。蛍光灯式ランプを使用している照明器具の部類において一般家庭でよく使う電球であるＥ２６口金またはＥ１７口金の蛍光灯ランプを使用する照明器具以外では、施設での使用における２０Ｗ、４０Ｗ、１１０Ｗ型直管蛍光灯照明器具やＦＨＴ／ＦＤＬ／ＦＰＬ／ＦＨＰ型蛍光灯用ダウンライトを始めとする蛍光灯式照明器具には蛍光灯を点灯させるための安定器が必ず設置されている。しかし業務使用が前提の照明器具に使用想定されるＬＥＤランプはほとんどが電源回路内蔵型でＡＣ１００ＶまたはＡＣ２００Ｖの商用交流電源で点灯するように製造されているため、既存照明器具にＬＥＤランプを設置する場合には安定器は不要となり既存器具を利用する場合この安定器をバイパス配線する電気工事が必ず必要である。また既存照明器具を改造し既存の口金を再利用することになるが既存照明器具の口金や電線の経年劣化による火災、落下事故等が見受けられるしまた現在は一定の施工基準もない。すなわち既存照明器具メーカーの保証も受けられなくなりＬＥＤランプのメーカーの立場でも保証できず、施工業者や消費者が責任を負う形となり問題が多いのが現状である。【０００３】蛍光灯ランプを使用する安定器を利用した既存照明器具にＬＥＤランプを設置する場合には、電気工事士による安定器バイパス改造工事を行いランプのソケット部分である口金を再利用する必要があるが、時間の経過した照明器具は経年劣化による口金樹脂部分の老化破損や、安定器から口金部への電線劣化などがしばしば見受けられるため、電気工事士による的確な安定器バイパス改造工事を行っても再使用に及ばないことがある。また天井面での狭い空間で作業を行うため作業効率が悪く消費者へのコストアップにもつながってしまう。
【発明が解決しようとする課題】
【０００４】安定器設置済の蛍光灯型照明器具を改造するにあたり電気工事士の施工技術・スキルがばらついており施工レベルに影響がでることや既存照明器具の経年劣化により起こりうる発火事故やＬＥＤランプ落下事故の対策、不明確な製造物責任の所在の明確化、作業効率のアップ、等の現状のＬＥＤランプ交換工事における問題を解決の課題とする。
【課題を解決するための手段】
【０００５】本発明のＬＥＤランプ用リニューアル電源挿入ジョイントソケットは既存照明器具の口金と交換するＬＥＤランプとの間に挟み込み既存照明器具口金部とは絶縁しつつ電源挿入ができるジョイントパーツでありかつ本発明品から新しく交換したＬＥＤランプへの電源を供給する機能を保有する。これにより既存照明器具には一切商用電源を通電する必要がなくなり照明器具の灯具機能優先として安心して再使用が可能となる。すなわち経年劣化トラブルが多い既存照明器具へは通電は一切しないため市場での安全性が確保でき、本製品からＬＥＤランプ電源を入力するための商用電源と結線する電源線も存在するため最悪のランプ落下事故と発火事故は抑えられ、作業効率、安全性、施工の均一化が図れることで消費者へのコスト削減も期待できる。また本発明品を使用すると既存照明器具メーカーへの製造物責任が及ばなくなるため、万一の発火事故発生等の場合でもＬＥＤランプメーカー、及び本発明品の製造者が製造物責任の対象となり責任所在が明確化できる。
【図面の簡単な説明】
【０００６】
【図１】一般の蛍光灯型ダウンライトの施工方法。建物からのＤ１：商用電源を、Ｄ３：既存電源端子台、Ｄ２：器具内既存配線、Ｄ４：既存安定器、Ｄ５：既存口金からなるＤ１１：ダウンライト本体に電源接続をし、Ｄ１１：ダウンライト本体を天井に設置後、Ｄ６：蛍光管ランプを差し込む。
【図２】蛍光灯型ダウンライトにＬＥＤランプを設置する従来の施工方法。既存照明器具のＤ３：既存電源端子台とＤ４：既存安定器を電気的にバイパスする施工を施すため、Ｄ１：商用電源をＤ５：既存口金から接続されているＤ２：器具内既存配線電線にＤ８：圧着端子を用いて接続し、Ｄ１１：ダウンライト本体を天井に設置後、Ｄ７：蛍光管型ＬＥＤランプを差し込む。
【図３】本考案を利用した既存ダウンライトの施工方法。図１の既存照明器具のＤ３：既存電源端子台にはＤ１：商用電源を入れずＤ４：既存安定器とＤ５：既存口金には一切電源を通さない。本考案のＤ１０：ダウンライト用ジョイントソケットに繋がるＤ９：付属の電源挿入用電源線に接続されているＤ８：付属の端子台に、Ｄ１：商用電源を接続してＤ７：蛍光管型ＬＥＤランプに電源を供給する構造となる。その後Ｄ１１：ダウンライト本体を天井に設置後、Ｄ１０：ダウンライト用ジョイントソケットとＤ７：蛍光型ＬＥＤランプを差し込む。
【図４】一般の直管蛍光灯型照明器具の施工方法。Ｃ１：商用電源をＣ３：既存電源端子台に入れＣ２：器具内既存配線電線、Ｃ４：既存安定器を経由させＣ５：既存口金を通じＣ６：直管型蛍光管ランプを点灯させる。
【図５】直管蛍光灯型照明器具に電源外付け型直管ＬＥＤランプを設置する従来の施工方法。図５のＣ３：既存電源端子台とＣ４：既存安定器を撤去し、Ｃ８：ＬＥＤ用安定器を仕込み、それの１次側をＣ１：商用電源にＣ９：圧着端子を用いて接続し、２次側はＣ２：器具内既存配線電線を通じＣ５：既存口金を利用し、Ｃ７：直管蛍光灯型電源外付けＬＥＤランプを差し込む。
【図６】直管蛍光灯型照明器具に電源内蔵型直管ＬＥＤランプを設置する従来の方法。図５のＣ３：既存電源端子台とＣ４：既存安定器を撤去し、Ｃ２：器具内既存配線電線とＣ１：商用電源をＣ９：圧着端子で接続し、Ｃ５：既存口金からＣ１０：直管蛍光灯型電源内蔵ＬＥＤランプを差し込み電源を送る。
【図７】本考案で直管蛍光灯型照明器具に電源外付け型直管ＬＥＤランプを設置する方法。図５のＣ３：既存電源端子台とＣ４：既存安定器を撤去し、Ｃ８：ＬＥＤ安定器の２次側の配線とＣ１１：直管用ジョイントソケットからくる電線とをＣ９：圧着端子を使用して接続する。また用Ｃ１：商用電源とＣ８：ＬＥＤ用安定器の１次側の電源線をＣ９：圧着端子で接続する。次にＣ１１：直管用ジョイントソケット左右の幅分が短く作成されたＣ７：直管蛍光灯型電源外付けＬＥＤランプにＣ１１：直管用ジョイントソケットを左右に被せて、既存照明器具のＣ５：既存口金に差し込む。
【図８】本考案で直管蛍光灯型照明器具に電源内蔵型直管ＬＥＤランプを設置する方法。図５のＣ３：既存電源端子台とＣ４：既存安定器とＣ２：器具内既存配線電線を撤去し、Ｃ１：商用電源とＣ１１：直管用ジョイントソケット左右からくるＣ１２電源挿入用電源線をＣ９：圧着端子を用いて接続する。その後Ｃ１１：直管用ジョイントソケット左右の幅計分が短く作成されたＣ１０：直管蛍光灯型電源内蔵ＬＥＤランプにＣ１１：直管用ジョイントソケットを左右に被せて、既存照明器具のＣ５：既存口金に差し込み取り付ける。
【発明を実施するための形態】
【０００７】発明を実施するための形態を実施例に基づき図面を参照しながら詳細に説明する。
【図９】
考案したダウンライト用ジョイントソケットの詳細例。
Ｓ１：商用電源端子台、Ｓ２：電源挿入用電源線、Ｓ３：ダウンライト用ジョイントソケット筐体の３点から構成される。Ｓ３：ダウンライト用ジョイントソケット筐体の中には、差し込まれるＤ７：蛍光灯型ＬＥＤランプの電気的接点となる、Ｓ４：差し込まれるＬＥＤランプへ電源を挿入する端子が内蔵されており、Ｄ７：蛍光灯型ＬＥＤランプが差し込まれたときＳ３：ジョイントソケット筐体から電源を通電させ点灯させる構造である。またＳ３：ダウンライト用ジョイントソケット筐体からＳ２：電源挿入用電源線を通じ電源を供給するため、既存照明器具口金側には電源が通ることはなく既存照明器具口金を安全に使用でき、Ｓ１：商用電源の電源線とＳ２：電源挿入用電源線が接続されているため、Ｄ７：蛍光管型ＬＥＤランプは外れることは万一あっても落下することは絶対になくなる。この場合、Ｄ７：蛍光管型ＬＥＤランプとＳ３：ジョイントソケットが確実にロックできる構造が必須項目となる。またＤ７：蛍光管型ＬＥＤランプとＳ３：ダウンライト用ジョイントソケット筐体だけに電源が通り既存照明器具口金には電源が通らないため、発火事故等が起こっても既存照明器具メーカーには製造物責任等の責任が発生しない。
【図１０】
考案した直管蛍光灯型照明器具用ジョイントソケットの詳細例。
Ｓ１：商用電源端子台、Ｓ２：電源挿入用電源線、Ｃ１１：直管用ジョイントソケットが２個の４点から構成される。Ｃ１１：直管用ジョイントソケットの中には、差し込まれるＣ１３：専用ＬＥＤランプの電気的接点となる端子が内蔵されており、Ｃ１３：専用ＬＥＤランプが差し込まれたとき左右２個のＣ１１：直管用ジョイントソケット筐体から電源を通電させる構造である。またＣ１１：直管用ジョイントソケット筐体からＳ２：電源挿入用電源線を通じ電源を供給するため、既存照明器具口金側には電源が乗ることはなくＣ５：既存口金を安全に使用でき、Ｓ１：商用電源の電源線とＳ２：電源挿入用電源線が接続されているため、外れることはあってもＣ１３：専用ＬＥＤランプが落下することは絶対になくなる。この場合、Ｃ１１：直管用ジョイントソケットのまわりにはＣ１４：ランプはずれ防止ガードが加工されており、Ｃ１３：専用ＬＥＤランプとＣ１１：直管用ジョイントソケットが脱落しない構造が必須項目となる。また一般的な４０Ｗ蛍光灯用既存照明器具の左右のＣ５：既存口金のランプ設置取付有効内寸は１２００ミリであるが、本考案を実用化する際にはＣ１３：専用ＬＥＤランプは、左右のＣ１１：直管用ジョイントソケット分を１２００ミリから差し引いた規格で製作しないと既存直管蛍光灯型照明器具には入らず、Ｃ１３：専用ＬＥＤランプは専用設計製作する必要がある。また、Ｃ１１：直管用ジョイントソケット筐体だけに電源が通りＣ５：既存口金には電源が通らないため、発火事故等が起こっても既存照明器具メーカーには製造物責任等の責任が発生しないため施工責任分岐点をも明確にできる。
【符号の説明】
【０００８】Ｄ１  商用電源
Ｄ２  器具内既存配線電線
Ｄ３  既存電源端子台
Ｄ４  既存安定器
Ｄ５  既存口金
Ｄ６  蛍光管ランプ
Ｄ７  蛍光管型ＬＥＤランプ
Ｄ８  付属の端子台
Ｄ９  付属の電源挿入用電源線
Ｄ１０  ダウンライト用ジョイントソケット
Ｄ１１  ダウンライト本体
Ｃ１  商用電源
Ｃ２  器具内既存配線電線
Ｃ３  既存電源端子台
Ｃ４  既存安定器
Ｃ５  既存口金
Ｃ６  直管型蛍光管ランプ
Ｃ７  直管蛍光灯型電源外付けＬＥＤランプ
Ｃ８  ＬＥＤ用安定器
Ｃ９  圧着端子
Ｃ１０  直管蛍光灯型電源内蔵ＬＥＤランプ
Ｃ１１  直管用ジョイントソケット
Ｃ１２  電源挿入用電源線
Ｃ１３  専用ＬＥＤランプ
Ｃ１４  ランプはずれ防止用ガード
Ｃ１５  反対側のジョイントソケット給電用電線
Ｓ１  商用電源端子台
Ｓ２  電源挿入用電源線
Ｓ３  ダウンライト用ジョイントソケット筐体
Ｓ４  取付ＬＥＤランプ用電源挿入端子
【図１】
2014017225.tif 000003
【図２】
2014017225.tif 000004
【図３】
2014017225.tif 000005
【図４】
2014017225.tif 000006
【図５】
2014017225.tif 000007
【図６】
2014017225.tif 000008
【図７】
2014017225.tif 000009
【図８】
2014017225.tif 000010
【図９】
2014017225.tif 000011
【図１０】
2014017225.tif 000012